(57)【要約】【課題】複数のＬＥＤで構成される領域毎にＬＥＤの発光輝度を制御する際に、ＬＥＤを駆動させる複数のドライバ回路間で負荷を分散させ、ドライバ回路に含まれるＩＣや半導体素子の温度上昇を抑制する。【解決手段】ＬＥＤ点灯装置は、バックライトを複数の領域に分割し、分割した領域の映像信号に応じて領域毎にＬＥＤの発光を制御するローカルディミング機能を備えた表示装置に搭載される。ＬＥＤ点灯装置は、複数のＬＥＤ素子を含む複数のＬＥＤユニット７１，７２と、ＬＥＤユニット７１，７２を駆動する複数のドライバ回路６２，６３とを備え、ＬＥＤユニット７１，７２はそれぞれ表示装置の表示パネルの所定の領域と対応して配置され、所定の領域に対応するＬＥＤユニット内の隣接するＬＥＤ素子が、異なるドライバ回路に接続されて駆動される。【選択図】図３
2013222515.tif 000002
【特許請求の範囲】
【請求項１】
バックライトを複数の領域に分割し、該分割した領域の映像信号に応じて領域毎にＬＥＤの発光を制御するローカルディミング機能を備えた表示装置に搭載されるＬＥＤ点灯装置であって、
複数のＬＥＤ素子を含む複数のＬＥＤユニットと、該ＬＥＤユニットを駆動する複数のドライバ回路とを備え、
前記ＬＥＤユニットはそれぞれ前記表示装置の表示パネルの所定の領域と対応して配置され、該所定の領域に対応するＬＥＤユニット内の隣接するＬＥＤ素子が、異なるドライバ回路に接続されて駆動されることを特徴とするＬＥＤ点灯装置。
【請求項２】
前記ＬＥＤユニットは、複数のＬＥＤ素子を所定方向に配列してなる複数のＬＥＤラインにより構成され、該複数のＬＥＤラインは、前記所定方向が互いに平行となるように配置されていることを特徴とする請求項１に記載のＬＥＤ点灯装置。
【請求項３】
前記複数のＬＥＤラインは、行列状に配置され、該行列状に配置された複数のＬＥＤラインのうち、千鳥の位置関係にあるＬＥＤラインが同じドライバ回路によって駆動されることを特徴とする請求項２に記載のＬＥＤ点灯装置。
【請求項４】
前記ドライバ回路は、ＩＣチップとして構成されたＬＥＤドライバと、半導体素子として構成されたスイッチング電源とを備えたことを特徴とする請求項１〜３のいずれか１項に記載のＬＥＤ点灯装置。
【請求項５】
請求項１〜４のいずれか１項に記載のＬＥＤ点灯装置を搭載した表示装置。
【発明の詳細な説明】
【技術分野】
【０００１】
本発明は、ＬＥＤ点灯装置および表示装置に関し、より詳細には、表示装置のバックライト光源などに用いられるＬＥＤ（Light Emitting Diode）を点灯させるためのＬＥＤ点灯装置および該ＬＥＤ点灯装置を備えた表示装置に関する。
【背景技術】
【０００２】
近年、ＬＥＤ（Light Emitting Diode）をバックライト光源とした液晶表示装置が各メーカから発売されている。このＬＥＤは、順方向に電圧を加えた際に発光する半導体素子であり、アノードに正、カソードに負の電圧をかけると、数ボルトの電圧で電流が流れ、発光する。このＬＥＤをバックライト光源として用いた場合、ローカルディミングが可能であるという利点をもっている。ローカルディミングは、バックライトを複数の領域に分割し、それぞれの領域の映像信号に応じて領域毎にＬＥＤの発光を制御する技術である。例えば、画面内の暗い部分はＬＥＤの発光を抑え、画面内の明るい部分はＬＥＤを強く発光させる、といった制御が可能になる。これにより、バックライトの消費電力を低減すると共に、表示画面のコントラストを向上させることができる。
【０００３】
上記のＬＥＤは熱に弱いことは一般に知られており、適切な放熱対策を施さないと、発光効率や寿命の低下を招く場合がある。例えば、特許文献１には、複数のＬＥＤで構成される領域（ブロック）毎に点灯／消灯を制御する際に駆動電圧が低減されることを利用して、放熱効率を向上させる技術が開示されている。この特許文献１に記載の技術によれば、ＬＥＤの駆動基板をシャーシに密着させることで、放熱効率を向上させている。また、ＬＥＤを駆動させるＬＥＤ駆動部では、ＦＥＴ（Field Effect Transistor）などの半導体素子により高速でオン／オフのスイッチングを行っているが、このＬＥＤ駆動部が過負荷になると、ＬＥＤ駆動部を構成する半導体素子が熱破壊等を起こす可能性がある。このためＬＥＤ駆動部内の半導体素子についても適切な熱設計を行うことが重要となる。
【先行技術文献】
【特許文献】
【０００４】
【特許文献１】特開２０１０−１７６９６８号公報
【発明の概要】
【発明が解決しようとする課題】
【０００５】
図５は、従来のＬＥＤ点灯装置の構成を示す図である。ＬＥＤ点灯装置は、大きく分けて、ＬＥＤを駆動するＬＥＤ駆動部１０１と、複数のＬＥＤを含むＬＥＤバックライト１０５とにより構成されている。ＬＥＤ駆動部１０１は、マイコン１０２、第１のドライバ回路１０３、および第２のドライバ回路１０４からなり、ＬＥＤバックライト１０５は、第１のＬＥＤユニット１０６および第２のＬＥＤユニット１０７からなる。第１のドライバ回路１０３は、ＬＥＤバックライト１０５の第１のＬＥＤユニット１０６の各ＬＥＤを駆動する第１のＬＥＤドライバ１０３ａと、第１のスイッチング電源１０３ｃを含む第１のコンバータ回路１０３ｂとを備える。
【０００６】
同様に、第２のドライバ回路１０４は、ＬＥＤバックライト１０５の第２のＬＥＤユニット１０７の各ＬＥＤを駆動する第２のＬＥＤドライバ１０４ａと、第２のスイッチング電源１０４ｃを含む第２のコンバータ回路１０４ｂとを備える。第１のＬＥＤドライバ１０３ａおよび第２のＬＥＤドライバ１０４ａは、例えば、ＩＣ（Integrated Circuit）チップとして実装される。第１のスイッチング電源１０３ｃおよび第２のスイッチング電源１０４ｃは、例えば、ＦＥＴなどの半導体素子として実装される。
【０００７】
図６は、ＬＥＤ点灯装置を構成するＬＥＤバックライトとＬＥＤ駆動部との接続関係を説明するための図である。この例では、ＬＥＤバックライト１０７の第１のＬＥＤユニット１０６が表示装置の画面上部に配置され、第２のＬＥＤユニット１０７が表示装置の画面下部に配置されている。そして、第１のＬＥＤユニット１０６を構成する各ＬＥＤが第１のＬＥＤドライバ１０３ａに接続され、第２のＬＥＤユニット１０７を構成する各ＬＥＤが第２のＬＥＤドライバ１０４ａに接続されている。
【０００８】
ここで、前述のローカルディミングをさらに発展させた手法として、電力が規定値を超えないようにＰＷＭ（Pulse Width Modulation）制御を行い、点灯する面積が小さいときは局所的に電力を投入し、ピーク輝度を高める手法が知られている。この手法により、通常のローカルディミングに比べて、高い輝度を出すことができる。しかしながら、例えば、図７に示すような映像信号（上半分が白、下半分が黒）が入力されると、図５に示す第１のドライバ回路１０３および第２のドライバ回路１０４のうち、上半分のＬＥＤを駆動させる第１のドライバ回路１０３にのみ負荷が集中してしまう。そして、この負荷集中により、第１のドライバ回路１０３を構成するＩＣや半導体素子の温度が上昇し、寿命の低下や熱破壊等を引き起こす可能性がある。
【０００９】
これに対して、特許文献１に記載の発明は、ドライバ回路を構成するＩＣや半導体素子の温度上昇を抑える点に着目したものではなく、このような課題を解決することはできない。
【００１０】
本発明は、上述のような実情に鑑みてなされたもので、複数のＬＥＤで構成される領域毎にＬＥＤの発光輝度を制御する際に、ＬＥＤを駆動させる複数のドライバ回路間で負荷を分散させ、ドライバ回路に含まれるＩＣや半導体素子の温度上昇を抑制できるＬＥＤ点灯装置および該ＬＥＤ点灯装置を備えた表示装置を提供することを目的とする。
【課題を解決するための手段】
【００１１】
上記課題を解決するために、本発明の第１の技術手段は、バックライトを複数の領域に分割し、該分割した領域の映像信号に応じて領域毎にＬＥＤの発光を制御するローカルディミング機能を備えた表示装置に搭載されるＬＥＤ点灯装置であって、複数のＬＥＤ素子を含む複数のＬＥＤユニットと、該ＬＥＤユニットを駆動する複数のドライバ回路とを備え、前記ＬＥＤユニットはそれぞれ前記表示装置の表示パネルの所定の領域と対応して配置され、該所定の領域に対応するＬＥＤユニット内の隣接するＬＥＤ素子が、異なるドライバ回路に接続されて駆動されることを特徴としたものである。
【００１２】
第２の技術手段は、第１の技術手段において、前記ＬＥＤユニットは、複数のＬＥＤ素子を所定方向に配列してなる複数のＬＥＤラインにより構成され、該複数のＬＥＤラインは、前記所定方向が互いに平行となるように配置されていることを特徴としたものである。
【００１３】
第３の技術手段は、第２の技術手段において、前記複数のＬＥＤラインは、行列状に配置され、該行列状に配置された複数のＬＥＤラインのうち、千鳥の位置関係にあるＬＥＤラインが同じドライバ回路によって駆動されることを特徴としたものである。
【００１４】
第４の技術手段は、第１〜第３のいずれか１の技術手段において、前記ドライバ回路は、ＩＣチップとして構成されたＬＥＤドライバと、半導体素子として構成されたスイッチング電源とを備えたことを特徴としたものである。
【００１５】
第５の技術手段は、第１〜第４のいずれか１の技術手段におけるＬＥＤ点灯装置を搭載した表示装置である。
【発明の効果】
【００１６】
本発明によれば、複数のＬＥＤで構成される領域毎にＬＥＤの発光輝度を制御する際に、ＬＥＤを駆動させる複数のドライバ回路間で負荷を分散させることができるため、１つのドライバ回路に負荷が集中するのを防止し、ドライバ回路に含まれるＩＣや半導体素子の温度上昇を抑制することができる。
【図面の簡単な説明】
【００１７】
【図１】本発明によるＬＥＤ点灯装置を備えた表示装置の要部構成例を示すブロック図である。
【図２】ＬＥＤバックライトのＬＥＤの最大発光輝度の設定方法について説明する図である。
【図３】本発明によるＬＥＤ点灯装置の構成例を示す図である。
【図４】本発明によるＬＥＤ点灯装置を構成するＬＥＤバックライトとＬＥＤ駆動部との接続関係の一例を説明するための図である。
【図５】従来のＬＥＤ点灯装置の構成を示す図である。
【図６】ＬＥＤ点灯装置を構成するＬＥＤバックライトとＬＥＤ駆動部との接続関係を説明するための図である。
【図７】入力映像信号の一例を示す図である。
【発明を実施するための形態】
【００１８】
以下、添付図面を参照しながら、本発明のＬＥＤ点灯装置および該ＬＥＤ点灯装置を備えた表示装置に係る好適な実施の形態について説明する。
【００１９】
図１は、本発明によるＬＥＤ点灯装置を備えた表示装置の要部構成例を示すブロック図で、図中、１は表示装置を示す。この表示装置１は、例えば、液晶表示装置として例示することができ、画像処理部２、エリアアクティブ制御部３、パネル制御部４、ＬＣＤ（Liquid Crystal Display）パネル５、ＬＥＤ駆動部６、およびＬＥＤバックライト７を備える。そして、本発明のＬＥＤ点灯装置はＬＥＤ駆動部６およびＬＥＤバックライト７により構成される。
【００２０】
画像処理部２は、放送信号から分離した映像・音声信号や、外部機器からの映像・音声信号を受信し、符号化された映像・音声信号を復号するなどの映像信号処理を行う。画像処理部２は、入力される映像信号に対して、例えば、ＩＰ変換、ノイズリダクション、スケーリング処理、γ調整、ホワイトバランス調整などを適宜実行する。
【００２１】
エリアアクティブ制御部３は、バックライトを複数の領域に分割し、分割した領域の映像信号に応じて領域毎にＬＥＤの発光を制御するローカルディミング処理を実行する。具体的には、エリアアクティブ制御部３は、画像処理部２により入力された映像信号に従って、映像信号により表示される画像を所定領域に分割し、分割領域ごとに映像信号の最大階調値を抽出する。
【００２２】
そして、エリアアクティブ制御部３は、最大階調値が大きい領域では、ＬＥＤバックライト７のＬＥＤの発光輝度を大きくし、最大階調値が小さい領域では、ＬＥＤの発光輝度を小さくするなどして、抽出した最大階調値に応じた発光輝度の制御を行う。
【００２３】
なお、ここでは、各分割領域の最大階調値を用いてＬＥＤの発光輝度を制御することとしたが、各分割領域の階調平均値などの他の特徴量を用いて、ＬＥＤの発光輝度を制御することとしてもよい。
【００２４】
さらに、エリアアクティブ制御部３は、ＬＥＤバックライト７の各ＬＥＤを点灯させる駆動電流の合計値を所定の許容電流値以下としつつ、ＬＥＤバックライト７の輝度をより高め、コントラストを向上させる電力リミット制御を行う。
【００２５】
具体的には、エリアアクティブ制御部３は、分割領域ごとに抽出された映像信号の最大階調値に基づき、各分割領域に対応するＬＥＤバックライト７の点灯率を計算する。この点灯率とは、映像信号が取り得る階調値に対する各分割領域における映像信号の最大階調値の割合である。
【００２６】
例えば、映像信号が取り得る階調値が２５６階調であり、分割領域が８つあり、８つの分割領域における映像信号の最大階調値が６４、２２４、１６０、３２、１２８、１９２、１９２、９６である場合、各分割領域に対応するＬＥＤバックライト７の点灯率はそれぞれ、２５.０％、８７.８％、６２.７％、１２.５％、５０.２％、７５.３％、７５.３％、３７.６％となる。
【００２７】
また、エリアアクティブ制御部３は、平均点灯率を算出する。上述した例では、平均点灯率は、５３.３％となる。そして、エリアアクティブ制御部３は、その平均点灯率を用いて、ＬＥＤバックライト７のＬＥＤの最大発光輝度を設定する。
【００２８】
図２は、ＬＥＤバックライト７のＬＥＤの最大発光輝度の設定方法について説明する図である。図２の横軸は、ＬＥＤバックライト７の平均点灯率である。平均点灯率は、各分割領域に対応するＬＥＤバックライト７の各領域のＬＥＤがすべて消灯した状態では０％となり、各分割領域に対応するＬＥＤバックライト７の各領域のＬＥＤがすべて点灯した状態では１００％となる。図２の縦軸は、各平均点灯率におけるＬＥＤバックライト７のＬＥＤの最大発光輝度を示す。
【００２９】
電力リミット制御では、ＬＥＤバックライト７の各ＬＥＤを点灯するための駆動電流の合計値は一定であるものとする。平均点灯率がＰよりも大きい範囲では、平均点灯率が大きくなるほど、１つの分割領域に供給できる電流は小さくなるため、最大発光輝度は小さくなる。
【００３０】
そして、平均点灯率が大きい領域では、映像が眩しく感じられるが、最大発光輝度が小さくなることにより、この眩しさが抑制される。また、平均点灯率がＰ付近である場合は、最大発光輝度が最も大きくなる。最大発光輝度が大きくなると、太陽やライトなどの光源の色の再現力が向上する。
【００３１】
平均点灯率がＰよりも小さい範囲では、最大発光輝度をより大きくすることも可能であるが、この範囲の映像は暗い映像であるので、最大発光輝度を小さくすることにより、引き締まった黒表現を実現し、黒浮きを抑制し、表示品位を保つようにする。
【００３２】
エリアアクティブ制御部３は、図２に示した関係を用いて、各分割領域の最終的な輝度を決定し、決定した輝度のデータをＬＥＤ駆動部６に出力する。具体的には、エリアアクティブ制御部３は、ローカルディミング処理により最大階調値に応じて分割領域ごとに決定した輝度に、輝度増加率を乗算することにより、各分割領域の最終的な輝度を決定する。ここで、輝度増加率とは、ある平均点灯率における最大発光輝度をａとし、１００％の平均点灯率における最大発光輝度をｂとした場合の比ａ／ｂを意味する。
【００３３】
例えば、平均点灯率が６４.０％である場合の最大発光輝度が８００ｃｄ／ｍ２であり、平均点灯率が１００％のときの最大発光輝度が５３３ｃｄ／ｍ２であったとすると、輝度増加率ａ／ｂは、１.５となる。
【００３４】
この場合、エリアアクティブ制御部３は、ローカルディミング処理により最大階調値に応じて分割領域ごとに決定した輝度に、１.５を乗算することにより、各分割領域の最終的な輝度を決定する。なお、図２に示した最大輝度と平均点灯率との関係は、予め表示装置１が備える記憶部（図示せず）に記憶されているものとする。
【００３５】
また、エリアアクティブ制御部３は、映像表示のため、ＬＣＤパネル５を制御するための制御データをパネル制御部４に出力する。
【００３６】
なお、上記では、ＬＥＤバックライト７の点灯率を用いて輝度を制御する場合について説明したが、映像信号のＡＰＬ（平均輝度レベル：Average Picture Level）を用いても同様の制御を行うことができる。ＡＰＬは映像信号全体の輝度の平均値であるため、ＡＰＬとＬＥＤの最大輝度との関係は、図２に示したものと同様の傾向を示すものと考えられる。すなわち、映像信号のＡＰＬが低ければ、ＬＥＤバックライト７の点灯率も低く、映像信号のＡＰＬが高ければ、ＬＥＤバックライト７の点灯率も高くなる。従って、図２の横軸をＡＰＬにした場合でも同様の制御を行うことができる。
【００３７】
ここで、表示装置１にて上記のエリアアクティブ制御を行う場合、例えば、図７に示したような映像信号が入力されると、複数のドライバ回路のうち、上半分のＬＥＤユニットを駆動させる１つのドライバ回路にのみ負荷が集中してしまう。そして、この負荷集中により、１つのドライバ回路を構成するＩＣや半導体素子の温度が上昇し、寿命の低下や熱破壊等を引き起こす可能性があった。
【００３８】
本発明の主たる目的は、複数のＬＥＤで構成される領域毎にＬＥＤの発光輝度を制御する際に、ＬＥＤを駆動させる複数のドライバ回路間で負荷を分散させ、ドライバ回路に含まれるＩＣや半導体素子の温度上昇を抑制することにある。このための構成として、ＬＥＤ点灯装置は、複数のＬＥＤ素子を含む複数のＬＥＤユニットと、ＬＥＤユニットを駆動する複数のドライバ回路とを備え、ＬＥＤユニットはそれぞれ表示装置１のＬＣＤパネル５の所定の領域と対応して配置され、所定の領域に対応するＬＥＤユニット内の隣接するＬＥＤ素子が、異なるドライバ回路に接続されて駆動される。以下、図３，４に基づき具体的に説明する。
【００３９】
図３は、本発明によるＬＥＤ点灯装置の構成例を示す図である。ＬＥＤ点灯装置は、大きく分けて、ＬＥＤを駆動するＬＥＤ駆動部６と、複数のＬＥＤを含むＬＥＤバックライト７とにより構成されている。ＬＥＤ駆動部６は、マイコン６１、第１のドライバ回路６２、および第２のドライバ回路６３からなり、ＬＥＤバックライト７は、第１のＬＥＤユニット７１および第２のＬＥＤユニット７２からなる。第１のドライバ回路６２は、第１のＬＥＤユニット７１および第２のＬＥＤユニット７２に接続された第１のＬＥＤドライバ６２ａと、第１のスイッチング電源６２ｃを含む第１のコンバータ回路６２ｂとを備える。
【００４０】
同様に、第２のドライバ回路６３は、第１のＬＥＤユニット７１および第２のＬＥＤユニット７２に接続された第２のＬＥＤドライバ６３ａと、第２のスイッチング電源６３ｃを含む第２のコンバータ回路６３ｂとを備える。第１のＬＥＤドライバ６２ａおよび第２のＬＥＤドライバ６３ａは、例えば、ＩＣチップとして実装される。第１のスイッチング電源６２ｃおよび第２のスイッチング電源６３ｃは、例えば、ＦＥＴなどの半導体素子として実装される。
【００４１】
第１のＬＥＤドライバ６２ａは、マイコン６１から所定の調光用デューティ比に制御するための調光制御信号を受信する。そして、第１のＬＥＤドライバ６２ａは、調光用デューティ比に基づくデューティ信号を第１のコンバータ回路６２ｂに出力し、第１のスイッチング電源６２ｃの動作／停止を制御して、調光用デューティ比に応じた電圧Ｖを生成させる。第１のコンバータ回路６２ｂは、例えば、バッテリ等の電源電圧Ｖｉｎから生成される基準電圧に基づきＬＥＤを点灯させるための電圧Ｖを生成する。第１のコンバータ回路６２ｂは、コンデンサＣを含む所謂昇圧型のコンバータとして構成されるが、昇圧型、降圧型、昇降圧型のいずれであってもよい。なお、第２のドライバ回路６３についても基本的な構成は第１のドライバ回路６２と同様である。
【００４２】
図３の例では、第１のＬＥＤユニット７１は第１のドライバ回路６２および第２のドライバ回路６３により駆動され、同様に、第２のＬＥＤユニット７２は第１のドライバ回路６２および第２のドライバ回路６３により駆動される。つまり、ＬＥＤユニット７１，７２はそれぞれ表示装置１のＬＣＤパネル５の所定の領域と対応して配置され、所定の領域に対応するＬＥＤユニット内の隣接するＬＥＤ素子が、異なるドライバ回路に接続されて駆動される。
【００４３】
図４は、本発明によるＬＥＤ点灯装置を構成するＬＥＤバックライトとＬＥＤ駆動部との接続関係の一例を説明するための図である。この例では、ＬＥＤバックライト７の第１のＬＥＤユニット７１が表示装置１の画面上部に配置され、第２のＬＥＤユニット７２が表示装置１の画面下部に配置されている。第１のＬＥＤユニット７１は、複数のＬＥＤ素子を所定方向に配列してなる複数のＬＥＤライン（１，２，３，…）により構成され、この複数のＬＥＤライン（１，２，３，…）は、所定方向が互いに平行となるように行列状に配置されている。そして、隣接するＬＥＤラインが異なるドライバ回路によって駆動される。例えば、隣接するＬＥＤライン１と２において、ＬＥＤライン１は第１のＬＥＤドライバ６２ａに接続され、ＬＥＤライン２は第２のＬＥＤドライバ６３ａに接続される。
【００４４】
また、行列状に配置された複数のＬＥＤラインのうち、千鳥（ジグザグ）の位置関係にあるＬＥＤラインが同じドライバ回路によって駆動されるようにしてもよい。図４の例では、ＬＥＤライン１，ｎ＋２，３と、ＬＥＤラインｎ＋１，２，ｎ＋３とはそれぞれ千鳥の位置関係にあり、ＬＥＤライン１，ｎ＋２，３は同じ第１のＬＥＤドライバ６２ａに接続され、ＬＥＤラインｎ＋１，２，ｎ＋３は同じ第２のＬＥＤドライバ６３ａに接続される。すなわち、ＬＥＤライン１，ｎ＋２，３と、ＬＥＤラインｎ＋１，２，ｎ＋３とは互いに異なるＬＥＤドライバに接続される。
【００４５】
なお、図４の例では、複数のＬＥＤラインを行列状に配置した場合について示しているが、これに限定されるものではなく、例えば、複数のＬＥＤラインを一方向に並べて配置するようにしてもよい。
【００４６】
上記構成において、例えば、図７に示したような映像信号が入力された場合、画面上部に配置された第１のＬＥＤユニット７１のＬＥＤが駆動されるが、この第１のＬＥＤユニット７１は第１のドライバ回路６２および第２のドライバ回路６３により駆動される。すなわち、ＬＥＤを駆動させる複数のドライバ回路間で負荷を分散させることができるため、１つのドライバ回路に負荷が集中するのを防止し、ドライバ回路に含まれるＩＣや半導体素子の温度上昇を抑制することができる。
【００４７】
このように本発明によれば、ローカルディミング処理により領域毎にＬＥＤの発光を制御する場合に、どのような映像信号が入力されても、１つのドライバ回路への負荷集中を防止し、ドライバ回路の温度上昇を抑えることができるため、簡単且つ安価な構成で装置の信頼性の向上を図ることができる。
【符号の説明】
【００４８】
１…表示装置、２…画像処理部、３…エリアアクティブ制御部、４…パネル制御部、５…ＬＣＤパネル、６…ＬＥＤ駆動部、７…ＬＥＤバックライト、６１…マイコン、６２…第１のドライバ回路、６２ａ…第１のＬＥＤドライバ、６２ｂ…第１のコンバータ回路、６２ｃ…第１のスイッチング電源、６３…第２のドライバ回路、６３ａ…第２のＬＥＤドライバ、６３ｂ…第２のコンバータ回路、６３ｃ…第２のスイッチング電源、７１…第１のＬＥＤユニット、７２…第２のＬＥＤユニット。
【図１】
2013222515.tif 000003
【図２】
2013222515.tif 000004
【図３】
2013222515.tif 000005
【図４】
2013222515.tif 000006
【図５】
2013222515.tif 000007
【図６】
2013222515.tif 000008
【図７】
2013222515.tif 000009